(57)【要約】【課題】  管埋設溝を複数回に分割して形成するときや、先に形成した管埋設溝に交わるようにして新たな管埋設溝を形成するときに、先に形成された管埋設溝内に土砂が落下することを防止できる管埋設溝の形成方法並びに連続溝形成用治具及び交差溝形成用治具を提供する。【解決手段】  先に形成した管埋設溝に敷設された暗渠管の端部上方を覆うように連続溝形成用治具を設置した状態で溝形成具による新たな管埋設溝の形成を行い、新たな管埋設溝の終端では溝形成具の下端を傾斜板の上方を通過させて地中から引き抜き、次いで、連続溝形成用治具を溝内から取り出して両管埋設溝同士を連続させる。また、先に形成した管埋設溝に交差溝形成用治具を設置した状態で溝形成具による新たな管埋設溝の形成を行い、新たな管埋設溝を先に形成した管埋設溝に交差させて形成した後、交差溝形成用治具を溝内から取り出して両管埋設溝同士を直交させる。【選択図】  図１
2005290924.tif 000002
【特許請求の範囲】
【請求項１】
地中に暗渠管を埋設するための管埋設溝を長手方向に複数回に分割して連続形成するとともに、先に形成した管埋設溝に対して直交する方向の管埋設溝を形成する方法であって、先に形成した管埋設溝に対して長手方向に連続するように新たな管埋設溝を形成する際には、先に形成した管埋設溝の端部を除いて暗渠管を敷設し、該暗渠管の端部上方を覆う傾斜板の先端を管埋設溝の端部底面に接地させるように配置した状態で、先に形成した管埋設溝の反対方向から溝形成具による新たな管埋設溝の形成を行い、この新たな管埋設溝の終端では、溝形成具の下端を前記傾斜板の上方を通過させて地中から引き抜き、次いで、前記傾斜板を管埋設溝内から取り出すことによって両管埋設溝同士を連続させ、先に形成した管埋設溝に対して直交する方向の管埋設溝を新たに形成する際には、先に形成した管埋設溝内に新たに形成する管埋設溝の溝幅に対応した一対の側板を挿入するとともに、先に形成した管埋設溝の上部開口を新たに形成する管埋設溝の溝幅を残して天板で覆った状態で、溝形成具による新たな管埋設溝を掘削を行い、新たな管埋設溝を先に形成した管埋設溝に交差させて形成した後、前記側板と天板とを溝内から取り出すことにより、両埋設溝同士を直交させることを特徴とする管埋設溝の形成方法。
【請求項２】
地中に暗渠管を埋設するための管埋設溝を長手方向に複数回に分割して連続形成する際に使用する連続溝形成用治具であって、先に形成した管埋設溝に敷設された暗渠管の端部上方を覆う管覆い部と、管埋設溝の底面に接地する接地部とを長手方向の両端に有し、管埋設溝の溝幅に対応した幅寸法を有する傾斜板を、前記暗渠管を避けた位置で管埋設溝の底面に下端が接地する脚片によって支持したことを特徴とする連続溝形成用治具。
【請求項３】
地中に暗渠管を埋設するための管埋設溝を、先に形成した管埋設溝に対して直交する方向に新たな管埋設溝を形成する際に使用する交差溝形成用治具であって、先に形成した管埋設溝の溝幅に対応した幅寸法を有し、管埋設溝の底面上に配置される底板と、該底板から新たに形成する管埋設溝の溝幅よりも大きな間隔で地表面近傍まで鉛直方向に立ち上がる一対の側板と、該側板の上端部から先に形成した管埋設溝の上部開口を、新たに形成する管埋設溝の溝幅に対応した部分を除いて覆うように水平方向に延出した一対の天板とを備えていることを特徴とする交差溝形成用治具。
【発明の詳細な説明】
【技術分野】
【０００１】
本発明は、管埋設溝の形成方法並びに連続溝形成用治具及び交差溝形成用治具に関し、詳しくは、湿地や圃場等の地中に暗渠排水パイプ等を埋設するための管埋設溝を長い距離に連続して形成したり、複数の管埋設溝を交わるように形成したりする方法に関するとともに、管埋設溝を長手方向に複数回に分割して連続形成する際に使用する連続溝形成用治具と、複数の管埋設溝を交わるように形成する際に使用する交差溝形成用治具とに関する。
【背景技術】
【０００２】
従来から、水はけの悪い土地に排水暗渠を形成するための暗渠管（暗渠排水パイプ）を埋設施工する際には、パイプ外径に対応した幅狭の溝（管埋設溝）をトレンチャーにて掘削形成することが行われている。このトレンチャーは、上部の駆動用鎖車と下部の案内用ローラーとに、複数の切削刃を備えたチェーンを掛け渡し、チェーンを回転させることにより、切削刃で土砂を切削して溝を掘削形成し、切削した土砂を溝外部に排出する構造を有している（例えば、特許文献１参照。）。
【特許文献１】特開平１０−２５２０９７号公報
【発明の開示】
【発明が解決しようとする課題】
【０００３】
上述のような管埋設溝を形成する場合、距離の長い管埋設溝を複数回に分割して形成するときや、先に形成した管埋設溝に交わるようにして新たな管埋設溝を形成するときに、新たな管埋設溝を掘削する際に排出される土砂が先に形成された管埋設溝内に落下すると、溝底面の平滑性が失われてしまう。このため、溝内に暗渠管を敷設する前に溝内に落下した土砂を取り除く必要がある。しかし、管埋設溝の溝幅が狭いため、溝内から土砂を取り除くのが面倒であり、多大な手間がかかっていた。
【０００４】
また、トレンチャーを使用すれば、距離の長い管埋設溝を連続して形成することは可能であるが、地中に石が多く存在する場合は、切削刃での切削が困難となることがあり、作業効率を低下させることがある。さらに、土砂と一緒に石が浮き上がって溝外部の地表面に排出されて表面土と混合してしまうため、田畑ではその後の耕作作業に大きな影響を与えることになってしまう。このため、地中に石が多く存在する場合は、バックホー等の作業機を利用して管埋設溝を形成するようにしているが、バックホー等の作業機を利用すると、距離の長い管埋設溝を連続して形成することは不可能となる。また、農道や畦畔の近くにまで管埋設溝を形成しようとする場合は、農道や畦畔側から掘削する必要があり、この場合には、先に形成した管埋設溝に対して反対方向から掘削することになる。
【０００５】
そこで本発明は、管埋設溝を複数回に分割して形成するときや、先に形成した管埋設溝に交わるようにして新たな管埋設溝を形成するときに、先に形成された管埋設溝内に土砂が落下することを防止できる管埋設溝の形成方法並びに連続溝形成用治具及び交差溝形成用治具を提供することを目的としている。
【課題を解決するための手段】
【０００６】
上記目的を達成するため、本発明の管埋設溝の形成方法は、地中に暗渠管を埋設するための管埋設溝を長手方向に複数回に分割して連続形成するとともに、先に形成した管埋設溝に対して直交する方向の管埋設溝を形成する方法であって、先に形成した管埋設溝に対して長手方向に連続するように新たな管埋設溝を形成する際には、先に形成した管埋設溝の端部を除いて暗渠管を敷設し、該暗渠管の端部上方を覆う傾斜板の先端を管埋設溝の端部底面に接地させるように配置した状態で、先に形成した管埋設溝の反対方向から溝形成具による新たな管埋設溝の形成を行い、この新たな管埋設溝の終端では、溝形成具の下端を前記傾斜板の上方を通過させて地中から引き抜き、次いで、前記傾斜板を管埋設溝内から取り出すことによって両管埋設溝同士を連続させ、先に形成した管埋設溝に対して直交する方向の管埋設溝を新たに形成する際には、先に形成した管埋設溝内に新たに形成する管埋設溝の溝幅に対応した一対の側板を挿入するとともに、先に形成した管埋設溝の上部開口を新たに形成する管埋設溝の溝幅を残して天板で覆った状態で、溝形成具による新たな管埋設溝を掘削を行い、新たな管埋設溝を先に形成した管埋設溝に交差させて形成した後、前記側板と天板とを溝内から取り出すことにより、両埋設溝同士を直交させることを特徴としている。
【０００７】
また、本発明の連続溝形成用治具は、地中に暗渠管を埋設するための管埋設溝を長手方向に複数回に分割して連続形成する際に使用する連続溝形成用治具であって、先に形成した管埋設溝に敷設された暗渠管の端部上方を覆う管覆い部と、管埋設溝の底面に接地する接地部とを長手方向の両端に有し、管埋設溝の溝幅に対応した幅寸法を有する傾斜板を、前記暗渠管を避けた位置で管埋設溝の底面に下端が接地する脚片によって支持したことを特徴としている。
【０００８】
さらに、本発明の交差溝形成用治具は、地中に暗渠管を埋設するための管埋設溝を、先に形成した管埋設溝に対して直交する方向に新たな管埋設溝を形成する際に使用する交差溝形成用治具であって、先に形成した管埋設溝の溝幅に対応した幅寸法を有し、管埋設溝の底面上に配置される底板と、該底板から新たに形成する管埋設溝の溝幅よりも大きな間隔で地表面近傍まで鉛直方向に立ち上がる一対の側板と、該側板の上端部から先に形成した管埋設溝の上部開口を、新たに形成する管埋設溝の溝幅に対応した部分を除いて覆うように水平方向に延出した一対の天板とを備えていることを特徴としている。
【発明の効果】
【０００９】
本発明によれば、先に形成した管埋設溝内に土砂を落下させずに新たな管埋設溝を形成することができる。また、連続溝形成用治具や交差溝形成用治具は、新たな管埋設溝を形成する前に、先に形成した管埋設溝の所定位置に設置し、新たな管埋設溝を形成した後に溝内から取り出すだけでよく、作業性が向上し、良好な仕上がりとなる。
【発明を実施するための最良の形態】
【００１０】
図１は、本発明を適用して管埋設溝を形成した水田の一例を示す概略平面図である。水田１１の内部は、農道１２及び畦畔１３によって複数の耕作区１４に区画されており、各農道１２には、給水路１５と排水路１６とがそれぞれ設けられている。さらに、各耕作区１４の側縁には、前記給水路１５に接続した給水装置１７と、排水路１６に接続した水位調節装置１８とがそれぞれ設置されている。
【００１１】
そして、耕作区１４の地下には、有孔管からなる暗渠管１９ａ，１９ｂが縦横複数列に埋設されており、主暗渠管１９ａの上流側が前記給水装置１７に接続し、下流側が前記水位調節装置１８に接続している。耕作区１４は、例えば、長辺が１００〜２００ｍ、短辺が３０〜１００ｍ程度の長方形状に区分されているため、主暗渠管１９ａの最大長さは約２００ｍに達することになる。また、給水装置１７から水位調節装置１８の方向に向かう主暗渠管１９ａとこれに直交する副暗渠管１９ｂとは、その交差部で継手等によって接続されている。
【００１２】
なお、暗渠管１９ａ，１９ｂの設置数は、耕作区の面積等の状況に応じて設定されるものであり、給水路１５や排水路１６の設置状態を含めて、図１の状態に限定されるものではない。
【００１３】
図２は距離の長い管埋設溝を複数回に分割して形成するときに使用する本発明の連続溝形成用治具の一形態例を示す斜視図である。また、図３乃至図６は連続溝形成用治具の使用例を示すもので、図３は先に形成した管埋設溝への連続溝形成用治具の設置状態を示す断面正面図、図４は同じく断面側面図である。また、図５は新たな管埋設溝の終端部分を形成している状態を示す断面正面図、図６は新たな管埋設溝を形成し終えた状態を示す断面正面図である。
【００１４】
まず、図２に示すように、連続溝形成用治具２１は、鋼板等を屈曲させたり、溶接したりして形成されるものであって、管覆い部２２と接地部２３とを長手方向の両端に有するとともに、形成する管埋設溝の溝幅に対応した幅寸法を有する傾斜板２４と、この傾斜板２４を支持する一対の脚片２５，２５とにより形成されており、傾斜板２４及び脚片２５の内部側には、複数の補強板２６が設けられている。
【００１５】
この連続溝形成用治具２１は、図３及び図４に示すように、先に形成した管埋設溝３１の端部に挿入して使用される。管埋設溝３１には、溝形成後に所定位置まで暗渠管３２が敷設され、その上部に籾殻等の疎水材３３が所定位置まで充填されている。連続溝形成用治具２１は、前記管覆い部２２及び傾斜板２４の一部で暗渠管３２の端部上方を覆うとともに、接地部２３が管埋設溝３１の端部底面に接地するようにして管埋設溝３１の内部に挿入される。このとき、脚片２５は、その外面が管埋設溝３１の溝側壁に沿うように挿入され、脚片２５の下端縁は、溝内に敷設された暗渠管３２を避けるようにして溝底面に接地した状態となる。
【００１６】
このように、先に形成した管埋設溝３１の端部に連続溝形成用治具２１を挿入配置した状態で、管埋設溝３１の反対方向から新たな管埋設溝３４の掘削を行う。本形態例では、作業機のアーム４１に溝形成具４２を装着し、アーム４１を操作して溝形成具４２を先に形成した管埋設溝３１に向けて水平方向に移動させることにより、新たな管埋設溝３４を形成するようにしている。
【００１７】
この溝形成具４２は、作業機のアーム４１に装着される作業機装着部４３の下方に、溝形成方向前方側が先鋭化するとともに溝底部側が後退したラッセル部４４を有する溝形成部４５を設けたものであって、溝形成部４５は、管埋設溝３４の溝幅に対応した幅寸法を有しており、溝形成部４５を地中に挿入してラッセル部４４方向に移動させることにより、溝形成部４５の挿入深さに対応した深さで、溝形成部４５の幅寸法に対応した溝幅の管埋設溝を形成することができる。なお、本例に示す溝形成具４２は、溝形成部４５の上部両側に掘り上げられた土砂が形成後の管埋設溝内に落下することを防止するための排土板４６が設けられている。
【００１８】
新たな管埋設溝３４の形成が進み、溝形成具４２が先に形成した管埋設溝３１の終端部分に到達したら、図５に示すように、ラッセル部４４の下端が傾斜板２４の上方を通過するようにアーム４１を操作する。これにより、溝形成具４２の先端部分に存在する土砂Ｄは、溝形成具４２の移動に伴って傾斜板２４の上方を通り、図６に示すように、先に形成した管埋設溝３１に充填された疎水材３３の上に落下することになる。
【００１９】
このようにして新たな管埋設溝３４を形成した後、連続溝形成用治具２１を溝内から取り出すことにより、先に形成した管埋設溝３１と新たな管埋設溝３４とが直線的に連続した状態となる。また、暗渠管３２は、管覆い部２２及び傾斜板２４で覆われているので、管内に土砂が侵入することもない。但し、必要に応じて暗渠管３２の端部開口をキャップ等で塞いでおいてもよい。さらに、連続溝形成用治具２１を接地部側から持ち上げるようにして溝内から取り出すことにより、傾斜板２４上に残った土砂も疎水材３３の上に落下させることができる。
【００２０】
管埋設溝３１，３４が連続した状態になった後、暗渠管３２の端部に新たな暗渠管を管埋設溝３４方向に接続し、その上部に疎水材を充填した後、疎水材の上部を土砂で埋め戻すことにより、暗渠管の敷設工事が終了する。
【００２１】
図７乃至図１０は、先に形成した管埋設溝に対して直交する方向に新たな管埋設溝を形成する際に使用する交差溝形成用治具の一形態例を示すものであって、図７は平面図、図８は正面図、図９は側面図、図１０は図８のＸ−Ｘ断面図である。また、図１１乃至図１４は、交差溝形成用治具の使用例を示すもので、図１１は先に形成した管埋設溝への交差溝形成用治具の設置状態を示す平面図、図１２は同じく断面正面図、図１３は新たな管埋設溝を形成している状態を示す平面図、図１４は同じく断面正面図である。
【００２２】
まず、図７乃至図１０に示すように、交差溝形成用治具５１は、先に形成した管埋設溝の溝幅に対応した幅寸法を有し、先に形成した管埋設溝の底面上に設置される底板５２と、該底板５２の中央部から新たに形成する管埋設溝の溝幅よりも大きな間隔で向き合うようにしてそれぞれ鉛直方向に立ち上がり、先に形成した管埋設溝を塞ぐようにして挿入される一対の側板５３，５３と、底板５２の長辺からそれぞれ鉛直方向に立ち上がって先に形成した管埋設溝の側壁に沿うように挿入される一対の壁板５４，５４と、該側板５３及び壁板５４の上端部から新たに形成する管埋設溝の溝幅よりも大きな間隔を空けて水平方向にそれぞれ延出した一対の天板５５，５５と、底板５２の両端から天板５５の外端を通って鉛直方向に立ち上がるとともに上端に吊下げ部５６が設けられた枠部材５７と、壁板５４の外面から天板５５の下面を支持するように設けられた補強板５８とを有しており、側板５３の上端部には、上方が開いた傾斜面５９が設けられている。
【００２３】
このように形成された交差溝形成用治具５１は、図１１及び図１２に示すように、先に形成した管埋設溝６１の中間部所定位置、すなわち、新たに形成する管埋設溝の交差位置に挿入された状態で使用される。このとき、底板５２は底面上に、側板５３，５３は管埋設溝６１を横切るように、壁板５４，５４は管埋設溝６１の側壁に沿うように、天板５５は新たに形成する管埋設溝の部分を除いて管埋設溝６１の開口を塞ぐように、補強板５８は先に形成した管埋設溝６１の側壁に食い込むように、それぞれ配置された状態となる。
【００２４】
このように、先に形成した管埋設溝６１に交差溝形成用治具５１を挿入した状態で、図１３及び図１４に示すように、前述の溝形成具４２を使用し、先に形成した管埋設溝６１に直交する方向の新たな管埋設溝６２を形成する。新たな管埋設溝６２が先に形成した管埋設溝６１と交わる位置では、溝形成具４２のラッセル部４４によって押し拡げられる土砂は、側板５３，５３によって先に形成した管埋設溝６１内に侵入することがなく、また、上方に堀り上げられた土砂Ｄは、天板５５によって先に形成した管埋設溝６１内に落下することが防止される。
【００２５】
新たな管埋設溝６２が先に形成した管埋設溝６１を通過した後、吊下げ部５６を利用してバックホー等で交差溝形成用治具５１を溝内から取り出すことにより、先に形成した管埋設溝６１内に土砂を侵入させることなく、新たな管埋設溝６２を直交させた状態で形成することができる。また、一対の側板５３，５３の間隔を新たに形成する管埋設溝６２の溝幅よりも大きな間隔としておくことにより、新たな管埋設溝６２が先に形成した管埋設溝６１に対して傾斜していたり、形成位置が多少ずれていたりしても、新たな管埋設溝６２を確実に形成することができる。また、側板５３，５３間に残る土砂は、交差溝形成用治具５１を溝内から取り出すときに底板５２によって溝外に排出することができる。
【００２６】
上述のように、連続溝形成用治具２１や交差溝形成用治具５１を使用することにより、図１に示したような暗渠管１９ａ，１９ｂを耕作区１４内に容易にかつ確実に敷設することができる。なお、溝形成具４２は、土質等の条件に応じて適当な形状のものを使用することが可能である。
【図面の簡単な説明】
【００２７】
【図１】本発明を適用して管埋設溝を形成した水田の一例を示す概略平面図である。
【図２】本発明の連続溝形成用治具の一形態例を示す斜視図である。
【図３】先に形成した管埋設溝への連続溝形成用治具の設置状態を示す断面正面図である。
【図４】同じく断面側面図である。
【図５】新たな管埋設溝の終端部分を形成している状態を示す断面正面図である。
【図６】新たな管埋設溝を形成し終えた状態を示す断面正面図である。
【図７】交差溝形成用治具の一形態例を示す平面図である。
【図８】同じく正面図である。
【図９】同じく側面図である。
【図１０】図８のＸ−Ｘ断面図である。
【図１１】先に形成した管埋設溝への交差溝形成用治具の設置状態を示す平面図である。
【図１２】同じく断面正面図である。
【図１３】新たな管埋設溝を形成している状態を示す平面図である。
【図１４】同じく断面正面図である。
【符号の説明】
【００２８】
１１…水田、１２…農道、１３…畦畔、１４…耕作区、１５…給水路、１６…排水路、１７…給水装置、１８…水位調節装置、１９ａ，１９ｂ…暗渠管、２１…連続溝形成用治具、２２…管覆い部、２３…接地部、２４…傾斜板、２５…脚片、２６…補強板、３１…先に形成した管埋設溝、３２…暗渠管、３３…疎水材、３４…、４１…アーム、４２…溝形成具、４３…作業機装着部、４４…ラッセル部、４５…溝形成部、４６…排土板、５１…交差溝形成用治具、５２…底板、５３…側板、５４…壁板、５５…天板、５６…吊下げ部、５７…枠部材、５８…補強板、５９…傾斜面、６１…先に形成した管埋設溝、６２…新たな管埋設溝
【図１】
2005290924.tif 000003
【図２】
2005290924.tif 000004
【図３】
2005290924.tif 000005
【図４】
2005290924.tif 000006
【図５】
2005290924.tif 000007
【図６】
2005290924.tif 000008
【図７】
2005290924.tif 000009
【図８】
2005290924.tif 000010
【図９】
2005290924.tif 000011
【図１０】
2005290924.tif 000012
【図１１】
2005290924.tif 000013
【図１２】
2005290924.tif 000014
【図１３】
2005290924.tif 000015
【図１４】
2005290924.tif 000016